(57)【要約】【課題】場面や気分にあわせて絵柄やデザインなどを変化させることができるかばんであって、絵柄やデザインを容易に変化させることができ、さらに実用性を兼ね備えたかばんを提供する。【解決手段】かぶせ部を有するかばんであって、該かぶせ部の先端が先細り形状もしくは略四角形状であり、かつ該かぶせ部の表側に透明部を、裏側には交換部材を抜き差し可能な収納部が設けられたことを特徴とするかばん。【選択図】図１
0003143018.tif 000002
【実用新案登録請求の範囲】
【請求項１】
かぶせ部を有するかばんであって、該かぶせ部の先端が先細り形状もしくは略四角形状であり、かつ該かぶせ部の表側に透明部を、裏側には交換部材を抜き差し可能な収納部が設けられたことを特徴とするかばん。
【請求項２】
前記かぶせ部の先端が略半円形状であることを特徴とする請求項１に記載のかばん。
【請求項３】
前記交換部材が表面と裏面とでデザインが異なることを特徴とする請求項１または２に記載のかばん。
【請求項４】
前記交換部材が反射材を有することを特徴とする請求項１〜３のいずれかに記載のかばん。
【請求項５】
前記交換部材が温度により色調が変化する布帛を有することを特徴とする請求項１〜４のいずれかに記載のかばん。
【考案の詳細な説明】
【技術分野】
【０００１】
本考案は、外観を自由に変化させることが可能なかばんに関する。
【背景技術】
【０００２】
従来より、場面や気分にあわせて、絵柄やデザインなどを変化させることのできるかばんが提案されている。
【０００３】
例えば、特開２００２−２５３３２４号公報（特許文献１）には外ポケットのカバーを着脱自在に本体に取り付け、カバーを異なるデザインのものを取り替えることができるようにしたバッグが開示されている。しかし、このバッグは基本的に旅行ケースや携帯用ケース等の硬質のかばんを意図したものであり、外観を変化させるにはポケットカバーごと交換する必要があり、交換が煩雑であった。
【０００４】
また、実用新案登録第３１０６７８５号公報（特許文献２）、実用新案登録第３０８３１９０号公報（特許文献３）には、箱形のかばんの側面に透明部を設け、かばんの内側から様々なデザインのシートを着脱自在に取り付けることによって外観変化が可能なかばんが開示されている。しかし、これらのかばんも基本的に旅行ケース等の硬質のかばんを意図したものであり、デザイン画の固定には圧着片や線状弾性部材等の複雑な手段を必要とするものであった。
【０００５】
さらに、実用新案登録第３０９６２２８号公報（特許文献４）には、透明窓を有し、外観部材を交換することによって外観を変化させることができるバッグであって、蓋部分に透明窓を設けたてもよいことが記載されている。しかし、蓋部分に透明窓を設けたバッグの具体的な開示はなく、また、このバッグにおいては外観部材の交換が煩わしいという問題点を有していた。
【特許文献１】特開２００２−２５３３２４号公報
【特許文献２】実用新案登録第３１０６７８５号公報
【特許文献３】実用新案登録第３０８３１９０号公報
【特許文献４】実用新案登録第３０９６２２８号公報、請求項１０、段落００２４
【考案の開示】
【考案が解決しようとする課題】
【０００６】
本考案はかかる問題点に鑑み、場面や気分にあわせて絵柄やデザインなどを変化させることができるかばんであって、絵柄やデザインを容易に変化させることができ、さらに実用性を兼ね備えたかばんを提供せんとするものである。
【課題を解決するための手段】
【０００７】
本考案はかかる課題を解決するため、次のような構成を有する。
すなわち、第１の考案は、かぶせ部を有するかばんであって、該かぶせ部の先端が先細り形状もしくは略四角形状であり、かつ該かぶせ部の表側に透明部を、裏側には交換部材を抜き差し可能な収納部が設けられたことを特徴とするかばん、である。
【０００８】
また、第２の考案は、前記かぶせ部の先端が略半円形状であることを特徴とする請求項１に記載のかばん、である。
【０００９】
また、第３の考案は、前記交換部材が表面面と裏面とでデザインが異なることを特徴とする請求項１または２に記載のかばん、である。
【００１０】
また、第４の考案は、前記交換部材が反射材を有することを特徴とする請求項１〜３のいずれかに記載のかばん、である。
【００１１】
また、第５の考案は、前記交換部材が温度により色調が変化する布帛を有することを特徴とする請求項１〜４のいずれかに記載のかばん、である。
【考案の効果】
【００１２】
本考案によれば、交換部材を交換することによって外観を変化させることが可能であり、また、交換部材の抜き差しも容易なかばんを提供することができる。
さらに、交換部材に反射材を有するものを使用することにより、夜間の安全性の高いかばんに変化させることができる。また、交換部材に温度により色調が変化する布帛を有するものを使用することにより、気温によって外観の変化する遊び心のあるかばんとすることができる。
【考案を実施するための最良の形態】
【００１３】
本考案を実施するための最良の形態を、図面を参照して、以下に詳細に説明する。
【００１４】
図１は、本考案の一態様の肩掛けかばんの斜視図である。かぶせ部は略楕円形状であり、かぶせ部の形状に対応した形状の透明部を有する。
【００１５】
図２は図１の肩掛けかばんのかぶせ部を開けた状態と交換部材の図である。かぶせ部の裏側に交換部材を抜き差し可能な収納部を有する。
【００１６】
図３は、本考案の一態様のランドセルの斜視図である。かぶせ部は略半円形状であり、かぶせ部の形状に対応した形状の透明部を有する。
【００１７】
いずれにおいても、かばん本体１とかぶせ部２とからなるかばんであり、かぶせ部２の表側に透明部３を有する。
【００１８】
本考案のかばんは、かばん本体とかぶせ部（蓋部）を有するかばんである。このかぶせ部の先端が先細り形状もしくは略四角形状であり、かぶせ部の表側に透明部、裏側に交換部材を抜き差し可能な収納部が設けられたものである。
【００１９】
ここで、かぶせ部の先端が先細り形状とは、先端に行くにしたがって先が細くなってゆく形状をいい、例えば三角形状、半円形状、楕円形状、台形状の他、略三角形状、略半円形状、略楕円形状等が挙げられる。また、略四角形状としては角が適度に丸まったものや角が面取りされた形状が挙げられる。かぶせ部をこのような形状とすることにより、交換部材の交換をスムースに行うことができる。すなわち、かぶせ部の先端がが四角状であると交換部材も四角形にならざるを得ず、交換部材も四角形であると抜き差しの際に角が引っかかったりして交換をスムースに行うことができない。一方、本考案のようにこのかぶせ部の先端が先細り形状もしくは略四角形状とすれば、交換部材も先細り形状もしくは略四角形状となり、このような形状であれば抜き差しの際に引っかかるということがなく、交換部材の交換をスムースに行うことができるのである。このような観点から、かぶせ部の先端は略三角形状や略半円形状が特に好ましい。
【００２０】
本考案において、かぶせ部の表側（おもて面）は透明部を設ける。この透明部を介して、収納部に収納された交換部材が外側から見えるようになっている。かぶせ部を有するかばんにおいてはかぶせ部が最も目を引く箇所であり、このかぶせ部に透明部を設けることによって効率的に外観（印象）を変化させることができる。透明部はかぶせ部の全面であっても一部であってもかまわない。また、透明部は１つでも複数でもかまわない。透明部が１つの場合、図１のように、かぶせ部の形状に合わせた形状とすることも好ましい。また、透明部を様々な形状にして、さらには複数にして、かばんとしての意匠性を高めることもできる。
【００２１】
本考案において、かぶせ部の裏側（うら面）は交換部材を抜き差し可能な収納部を有する。ここで、収納部は開口部を有するポケット状であることが好ましい。開口部には開口部をふさぐためにチャック（ファスナー）やボタン、スナップ、面ファスナー、マグネットなどを設け、交換部材が容易に抜け落ちたりしないようにすることが好ましい。
【００２２】
本考案において、交換部材は板状もしくはシート状のものであれば特に限定されない。収納部に抜き差しすることから、また、かぶせ部に収納することから、ある程度の柔軟性及び剛性を有することが好ましい。素材としては、各種の樹脂シート、フィルム他、補強部材を備えた布帛や人工皮革であってもよい。また、紙や布にラミネート加工等を施したものであってもよい。そして、交換部材には、様々な模様、絵柄、写真等のデザインを施すことができ、かぶせ部の透明部を介して、これらデザインが外観されることとなる。また、交換部材の形状は、かぶせ部の収納部と同形状とするのが好ましい。本考案においては、交換部材を交換することによった外観を変化させることが出来るが、交換部材は表面（おもて面）と裏面で異なるデザインとすることによって１つの交換部材で２種の外観を作り出すことができる。
【００２３】
なお、収納部に複数の交換部材を一度に収納できるようにしてもよい。複数の交換部材を収納することにより、好きなときに外観を変化させることができる。
【００２４】
また、本考案においては、交換部材が反射材を有するものとすることができる。その態様は特に限定されず、例えば、交換部材そのものが反射材からなるものであっても、反射材を一部または全面に貼付したものであってもかまわない。このような交換部材とすることにより、例えば、夜になったら反射材を外観できるように交換部材の表裏を返して、または交換部材を交換することによって、夜道を安全に行動することができる。そのため子供のランドセルや学習かばんには好ましい態様であり、特にランドセルにおいては背中に反射材が位置することになり好ましい。なお、反射材としては公知の光反射材を用いることができる。
【００２５】
さらにまた、本考案においては、交換部材が温度により色調が変化する布帛を有するものとすることができる。その態様は特に限定されず、例えば、交換部材そのものが温度により色調が変化する布帛からなるものであっても、温度により色調が変化する布帛を一部または全面に貼付したものであってもかまわない。ここで、温度により色調が変化する布帛としては、例えば、特開平９−９５８７６号公報や特開平６−２７２１７８号公報に記載された熱変色性布帛を用いることができる。このような布帛を用いることにより、気温によって外観の変わるかばんとすることができる。
【００２６】
これら反射材や温度により色調が変化する布帛によって、交換部材に様々な図柄を構成することも好ましい。
【００２７】
本考案のかばんの素材については特に限定されない。天然皮革、人工皮革（合成皮革）、ビニール、アクリル、ナイロンなどの合成樹脂シート類、織物や編物、不織布等を用いることができる。もちろん、これらの組み合わせであってもかまわない。
【００２８】
また、本考案の透明部の素材としては、透明性を有するものであれば特に限定されないが、透明部はかぶせ部に形成することから柔軟性に優れた素材であることが好ましく、ビニールやアクリルなどの透明な合成樹脂シート類が好ましく用いられる。本考案において透明性を有するとは、ある程度向こう側が透けて見えればよいことを意味する。したがって、透明部の素材としては、目の粗い織物・編物やレース等を用いることもできる。
【００２９】
本考案のかばんは、かぶせ部を有する限り様々な用途のものに応用可能であり、例えば、肩掛けかばん、書類かばん、手提げかばん、学生かばん、学習かばん、ランドセル、リュックサックなどのかばん類の他、買い物袋等も例として挙げることができる。なかでも、肩掛けかばん、手提げかばん、ランドセルに好ましく用いることができる。
【図面の簡単な説明】
【００３０】
【図１】本考案の別の一態様の肩掛けかばんの斜視図である。
【図２】図１の肩掛けかばんのかぶせ部の裏側及び交換部材を示す図である。
【図３】本考案の一態様のランドセルの斜視図である。
【符号の説明】
【００３１】
１：かばん本体
２：かぶせ部
３：透明部
４：収納部
５：開口部
６：交換部材
【図１】
0003143018.tif 000003
【図２】
0003143018.tif 000004
【図３】
0003143018.tif 000005